(57)【要約】【課題】携帯端末と、携帯端末の近接検出制御方法とは、タッチセンサパネルの誤動作を抑えるようにする。【解決手段】携帯端末は、タッチ選択可能なアイコンが表示されるタッチセンサパネルと、上記タッチセンサパネルの辺に沿って配置された近接センサ窓を介して移動体の接近を検出する近接センサと、周囲環境の照度を検出する照度センサと、上記近接センサ窓に対向して配置されると共に上記タッチセンサパネルの上記辺に沿って配置された上記アイコンが選択された状態（Ｓ１４がＹｅｓ）で上記近接センサが上記移動体の接近を検出したとき（Ｓ１３がＹｅｓ）の上記照度センサの出力結果（Ｓ１５）に応じて、少なくとも上記タッチセンサパネルを非アクティブ状態に遷移（Ｓ１６）させる処理部と、を備える。【選択図】図４
2013125361.tif 000002
【特許請求の範囲】
【請求項１】
タッチ選択可能なアイコンが表示されるタッチセンサパネルと、
前記タッチセンサパネルの辺に沿って配置された近接センサ窓を介して移動体の接近を検出する近接センサと、
周囲環境の照度を検出する照度センサと、
前記近接センサ窓に対向して配置されると共に前記タッチセンサパネルの前記辺に沿って配置された前記アイコンが選択された状態で前記近接センサが前記移動体の接近を検出したときの前記照度センサの出力結果に応じて、少なくとも前記タッチセンサパネルを非アクティブ状態に遷移させる処理部と、
を備えることを特徴とする携帯端末。
【請求項２】
レシーバを更に備え、
前記照度センサは、照度センサ窓を介して照度を検出し、
前記レシーバは、前記近接センサ窓と前記照度センサ窓との間に配置されている、
ことを特徴とする請求項１記載の携帯端末。
【請求項３】
前記レシーバおよび前記照度センサ窓は、前記タッチセンサパネルの前記近接センサ窓が沿って配置されているのと同一の前記辺に沿って配置されていることを特徴とする請求項２記載の携帯端末。
【請求項４】
前記携帯端末の状態を検出する加速度センサを更に備え、
前記処理部は、前記アイコンが選択された状態で前記近接センサが前記移動体の接近を検出したときの前記照度センサの出力結果および前記加速度センサの出力結果に応じて、少なくとも前記タッチセンサパネルを非アクティブ状態に遷移させる、
ことを特徴とする請求項１記載の携帯端末。
【請求項５】
タッチ選択可能なアイコンが表示されるタッチセンサパネルと、
前記タッチセンサパネルの辺に沿って配置された近接センサ窓を介して移動体の接近を検出する近接センサと、
携帯端末の状態を検出する加速度センサと、
前記近接センサ窓に対向して配置されると共に前記タッチセンサパネルの前記辺に沿って配置された前記アイコンが選択された状態で前記近接センサが前記移動体の接近を検出したときの前記加速度センサの出力結果に応じて、少なくとも前記タッチセンサパネルを非アクティブ状態に遷移させる処理部と、
を備えることを特徴とする携帯端末。
【請求項６】
タッチ選択可能なアイコンが表示されるタッチセンサパネルの辺に沿って配置された近接センサ窓を介して移動体の接近を検出し、
周囲環境の照度を検出し、
前記近接センサ窓に対向して配置されると共に前記タッチセンサパネルの前記辺に沿って配置された前記アイコンが選択された状態で前記移動体の接近を検出したときの前記検出された照度に応じて、少なくとも前記タッチセンサパネルを非アクティブ状態に遷移させる、
ことを特徴とする近接検出制御方法。
【請求項７】
タッチ選択可能なアイコンが表示されるタッチセンサパネルの辺に沿って配置された近接センサ窓を介して移動体の接近を検出し、
携帯端末の加速度を検出し、
前記近接センサ窓に対向して配置されると共に前記タッチセンサパネルの前記辺に沿って配置された前記アイコンが選択された状態で前記移動体の接近を検出したときの前記検出された加速度に応じて、少なくとも前記タッチセンサパネルを非アクティブ状態に遷移させる、
ことを特徴とする近接検出制御方法。
【発明の詳細な説明】
【技術分野】
【０００１】
本明細書で論じられる実施形態は、携帯端末と近接検出を制御する制御方法とに関する。
【背景技術】
【０００２】
従来、携帯端末装置への顔の近接を検出することにより、タッチパネルからの入力信号、および、表示デバイスへの出力信号を無効とする携帯端末装置が知られている。
電子機器に配置され、操作状況を示す情報を検出するのに用いられるものではあるが、ユーザとの距離を検出する近接センサ、周囲環境の照度を検出する照度センサ、傾き角度を検出する加速度センサなどが知られている。
【０００３】
図１１Ａおよび図１１Ｂは、参考技術に係る携帯端末２００の使用状態を示す説明図である。
図１２は、参考技術に係る携帯端末２００の処理を表すフローチャートである。
【０００４】
図１１Ａおよび図１１Ｂに示す携帯端末２００は、フレーム２０１と、タッチセンサパネル２０２と、音声信号を出力するレシーバ２０３と、移動体の一例である物体の近接を検出する近接センサ２０４と、タッチセンサパネル２０２の内側に配置された表示デバイス２０６と、を備える。フレーム２０１には、近接センサ２０４に光を透過するセンサ窓２０１ａが形成されている。
【０００５】
図１２に示すように、通話が開始すると、近接センサ２０４は、スキャンを開始する（Ｓ４１）。このスキャンは、通話が終了すると終了する（Ｓ４２がＮｏ）。
通話が継続中の場合（Ｓ４２がＹｅｓ）、近接センサ２０４が物体の近接を検出すると（Ｓ４３がＹｅｓ）、タッチセンサパネル２０２、および表示デバイス２０６がオフとなる（Ｓ４４）。一方、近接センサ３４が物体の近接を検出しない場合（Ｓ４３がＮｏ）は、タッチセンサパネル２０２、および表示デバイス２０６がオンのままとなる（Ｓ４５）。その後、近接センサ２０４のスキャンが再び行われる（Ｓ４１）。
【０００６】
このような制御は、例えば、ユーザの顔が通話中にタッチセンサパネル２０２に触れることによる誤動作の防止、並びに、タッチセンサパネル２０２、および表示デバイス２０６を非アクティブ（オフ）にすることによる低消費電力化を実現するために行われる。
【先行技術文献】
【特許文献】
【０００７】
【特許文献１】特開２０１０−２６８３３６号公報
【特許文献２】国際公開第２０１０／０７３３２９号パンフレット
【発明の概要】
【発明が解決しようとする課題】
【０００８】
上述の参考技術に係る携帯端末２００などの昨今の携帯端末では、タッチセンサパネル２０２が大型化しているため、レシーバ２０３近傍に配置されている近接センサ２０４とタッチセンサパネル２０２との間に十分なクリアランスを確保することが困難である。
【０００９】
そのため、図１１Ａに示すように、ユーザの指１０１がタッチセンサパネル２０２のうち近接センサ２０４近傍のターゲット位置２０２ａをタッチする場合、近接センサ２０４が指１０１の近接を検出する。これにより、タッチセンサパネル２０２の表示およびタッチセンサがオフとなり、ユーザは意図した操作を実行できなくなる。
【００１０】
本明細書で開示する携帯端末と、携帯端末の近接検出制御方法とは、タッチセンサパネルの誤動作を抑えることができるようにする。
【課題を解決するための手段】
【００１１】
本明細書で開示する携帯端末は、タッチセンサパネルと、近接センサと、照度センサと、処理部と、を備える。上記タッチセンサパネルは、タッチ選択可能なアイコンが表示される。上記近接センサは、上記タッチセンサパネルの辺に沿って配置された近接センサ窓を介して移動体の接近を検出する。照度センサは、周囲環境の照度を検出する。上記処理部は、上記近接センサ窓に対向して配置されると共に上記タッチセンサパネルの上記辺に沿って配置された上記アイコンが選択された状態で上記近接センサが上記移動体の接近を検出したときの上記照度センサの出力結果に応じて、少なくとも上記タッチセンサパネルを非アクティブ状態に遷移させる。
【００１２】
本明細書で開示する他の携帯端末は、タッチセンサパネルと、近接センサと、加速度センサと、処理部と、を備える。上記タッチセンサパネルは、タッチ選択可能なアイコンが表示される。上記近接センサは、上記タッチセンサパネルの辺に沿って配置された近接センサ窓を介して移動体の接近を検出する。上記加速度センサは、携帯端末の状態を検出する。上記処理部は、上記近接センサ窓に対向して配置されると共に上記タッチセンサパネルの上記辺に沿って配置された上記アイコンが選択された状態で上記近接センサが上記移動体の接近を検出したときの上記加速度センサの出力結果に応じて、少なくとも上記タッチセンサパネルを非アクティブ状態に遷移させる。
【００１３】
本明細書で開示する近接検出制御方法は、タッチ選択可能なアイコンが表示されるタッチセンサパネルの辺に沿って配置された近接センサ窓を介して移動体の接近を検出し、周囲環境の照度を検出し、上記近接センサ窓に対向して配置されると共に上記タッチセンサパネルの上記辺に沿って配置された上記アイコンが選択された状態で上記移動体の接近を検出したときの上記検出された照度に応じて、少なくとも上記タッチセンサパネルを非アクティブ状態に遷移させる。
【００１４】
本明細書で開示する他の近接検出制御方法は、タッチ選択可能なアイコンが表示されるタッチセンサパネルの辺に沿って配置された近接センサ窓を介して移動体の接近を検出し、携帯端末の加速度を検出し、上記近接センサ窓に対向して配置されると共に上記タッチセンサパネルの上記辺に沿って配置された上記アイコンが選択された状態で上記移動体の接近を検出したときの上記検出された加速度に応じて、少なくとも上記タッチセンサパネルを非アクティブ状態に遷移させる。
【発明の効果】
【００１５】
本明細書で開示する携帯端末と、携帯端末の近接検出制御方法とによれば、タッチセンサパネルの誤動作を抑えることができる。
【図面の簡単な説明】
【００１６】
【図１】第１実施形態に係る携帯端末を示す平面図である。
【図２Ａ】第１実施形態に係る携帯端末の使用状態を示す説明図（その１）である。
【図２Ｂ】第１実施形態に係る携帯端末の使用状態を示す説明図（その２）である。
【図３】第１実施形態に係る携帯端末を示すブロック図である。
【図４】第１実施形態に係る携帯端末の処理を表すフローチャートである。
【図５】第１実施形態に係る携帯端末の近接センサおよび照度センサを示す断面図である。
【図６Ａ】第１実施形態の第１変形例における近接センサおよび照度センサを示す断面図である。
【図６Ｂ】第１実施形態の第２変形例における近接センサおよび照度センサを示す断面図である。
【図７Ａ】第２実施形態に係る携帯端末の使用状態を示す説明図（その１）である。
【図７Ｂ】第２実施形態に係る携帯端末の使用状態を示す説明図（その２）である。
【図８】第２実施形態に係る携帯端末の処理を表すフローチャート（その１）である。
【図９】第２実施形態に係る携帯端末の処理を表すフローチャート（その２）である。
【図１０】第３実施形態に係る携帯端末の処理を表すフローチャートである。
【図１１Ａ】参考技術に係る携帯端末の使用状態を示す説明図（その１）である。
【図１１Ｂ】参考技術に係る携帯端末の使用状態を示す説明図（その２）である。
【図１２】参考技術に係る携帯端末の処理を表すフローチャートである。
【発明を実施するための形態】
【００１７】
以下、実施形態に係る、携帯端末と、携帯端末の近接検出制御方法とについて、図面を参照しながら説明する。
＜第１実施形態＞
図１は、第１実施形態に係る携帯端末１０を示す平面図である。
【００１８】
図２Ａおよび図２Ｂは、第１実施形態に係る携帯端末１０の使用状態を示す説明図である。
図３は、第１実施形態に係る携帯端末を示すブロック図である。
【００１９】
図４は、第１実施形態に係る携帯端末１０の処理を表すフローチャートである。
携帯端末１０は、図１に示すように、フレーム１１と、タッチセンサパネル１２と、レシーバ１３と、近接センサ１４と、照度センサ１５と、表示デバイス１６とを備える。
【００２０】
携帯端末１０は、図３に示すように、さらに、処理部の一例であるＣＰＵ１７と、タッチセンサコントローラ１８と、メモリ１９と、ＤＲＡＭ２０と、スピーカ２１と、無線回路２２と、アンテナ２３と、電源（Power Key）２４と、マイク２５と、加速度センサ２６と、を備える。携帯端末１０は、ＣＰＵ１７によって、ＵＳＩＭカード２７から識別情報を取得する。
【００２１】
フレーム１１には、タッチセンサパネル１２の周囲に配置され、透光性部材からなる近接センサ窓１１ａおよび照度センサ窓１１ｂが形成されている。近接センサ窓１１ａは、近接センサ１４に光を透過し、照度センサ窓１１ｂは、照度センサ１５に光を透過する。
【００２２】
タッチセンサパネル１２、および表示デバイス１６は、近接センサ窓１１ａに対向して配置されると共にタッチセンサパネル１２の辺に沿って配置された図２Ｂに示す対象アイコン１２ａが選択された状態、例えば、タッチセンサコントローラ１８が対象アイコン１２ａをタッチされたことを例えば所定時間前以降に検出した状態で、近接センサ１４および照度センサ１５の両方の検出結果が移動体の一例である顔（例えば、耳付近）１０２の近接条件を満たすことで非アクティブ状態（オフ状態）に遷移する。この制御は、携帯端末１０のＣＰＵ１７が行う。タッチセンサパネル１２は、表示デバイス１６上に配置されている。
【００２３】
レシーバ１３は、例えば音声信号を出力する。レシーバ１３は、例えば矩形状のタッチセンサパネル１２の１辺に隣接して配置されている。
【００２４】
近接センサ１４は、例えば、赤外線を発してその反射光を受光することで、物体の近接を検出する。近接センサ１４は、例えば、一定の距離よりも物体が近づくことで、物体の近接を検出する。近接センサ１４の検出結果が顔１０２の近接条件を満たすことで、図２Ａに示すユーザの顔１０２の近接を判定することができる。
【００２５】
照度センサ１５は、照度を検出する。照度センサ１５の検出結果が閾値未満という顔１０２の近接条件を満たすことで、顔１０２の近接を判定することができる。
【００２６】
近接センサ１４および照度センサ１５は、図５に示すように、入射光Ｌを受光するセンサ本体部１４ａ，１５ａを有する。
【００２７】
近接センサ１４および照度センサ１５（近接センサ窓１１ａおよび照度センサ窓１１ｂ）は、タッチセンサパネル１２の４辺のうちレシーバ１３に隣接する辺に沿って配列されている。レシーバ１３は、近接センサ１４および照度センサ１５（近接センサ窓１１ａおよび照度センサ窓１１ｂ）の間において近接センサ１４および照度センサ１５の近傍に配置されている。
【００２８】
図６Ａに示す第１変形例における近接センサ１４−１および照度センサ１５−１では、センサ窓１１ａ，１１ｂから入射する光Ｌをセンサ本体１４−１ａ，１５−１ａに導く導光路１４−１ｂ，１５−１ｂが設けられている。そのため、近接センサ１４−１および照度センサ１５−１の本体１４−１ａ，１５−１ａがレシーバ１３を挟んで反対側に配置されていなくとも、センサ窓１１ａ，１１ｂを、レシーバ１３を挟んで反対側に配置することが可能となる。
【００２９】
導光路１４−１ｂ，１５−１ｂは、センサ窓１１ａ，１１ｂから入射する光Ｌをセンサ本体１４−１ａ，１５−１ａに導く導光部の一例であり、例えば、アクリルからなる。
【００３０】
図６Ｂに示す第２変形例における近接センサ１４−２および照度センサ１５−２では、センサ窓１１ａ，１１ｂから入射する光Ｌをセンサ本体１４−２ａ，１５−２ａに導く反射部材１４−２ｂ，１５−２ｂが設けられている。この構成においても、近接センサ１４−２および照度センサ１５−２の本体１４−２ａ，１５−２ａがレシーバ１３を挟んで反対側に配置されていなくとも、センサ窓１１ａ，１１ｂを、レシーバ１３を挟んで反対側に配置することが可能となる。
【００３１】
反射部材１４−２ｂ，１５−２ｂも、センサ窓１１ａ，１１ｂから入射する光Ｌをセンサ本体１４−２ａ，１５−２ａに導く導光部の一例であり、例えば、ミラーからなる。
【００３２】
ＣＰＵ１７は、近接センサ１４および照度センサ１５の出力結果に応じて、少なくともタッチセンサパネル１２（本実施の形態では、タッチセンサパネル１２および表示デバイス１６の両方）を非アクティブ状態（オフ状態）に遷移させる処理を行う。
【００３３】
ＣＰＵ１７は、例えば、メモリ１９、ＤＲＡＭ２０、スピーカ２１、無線回路２２、アンテナ２３、電源（Power Key）２４、マイク２５、加速度センサ２６、ＵＳＩＭ（Universal Subscriber Identity Module）カード２７等の制御も行う。
【００３４】
以下、タッチセンサパネル１２の制御方法について説明する。
図４に示すように、通話が開始すると、近接センサ１４は、ＣＰＵ１７の制御に基づき、スキャンを開始する（Ｓ１１）。このスキャンは、通話が終了すると終了する（Ｓ１２がＮｏ）。
【００３５】
通話が継続中の場合（Ｓ１２がＹｅｓ）、図２Ａに示すように、ユーザの顔１０２が通話中にレシーバ１３に近づくと、近接センサ１４が物体の近接を検出する（Ｓ１３がＹｅｓ）。この場合、タッチセンサパネル１２の辺に沿って配置された図２Ｂに示すアイコン１２ａが選択された状態（すなわち、タッチセンサコントローラ１８が対象アイコン１２ａの選択を検出した検出した状態）（Ｓ１４がＹｅｓ）で、照度センサ１５の検出レベルが閾値未満となると（Ｓ１５がＮｏ）、タッチセンサパネル１２、および表示デバイス１６は、ＣＰＵ１７の制御によりオフとなる（Ｓ１６）。
【００３６】
タッチセンサパネル１２の辺に沿って配置された図２Ｂに示すアイコン１２ａが選択されていない状態（Ｓ１４がＮｏ）では、照度センサ１５（Ｓ１５）の検出レベルによらず、近接センサ１４が物体の近接を検出すると（Ｓ１３がＹｅｓ）、タッチセンサパネル１２、および表示デバイス１６がＣＰＵ１７の制御によりオフとなる（Ｓ１６）。
【００３７】
近接センサ１４が物体の近接を検出しない場合（Ｓ１３がＮｏ）と、対象アイコン１２ａが選択され（Ｓ１４がＹｅｓ）且つ照度センサ１５の検出レベルが閾値以上である場合（Ｓ１５がＹｅｓ）とのうちのいずれかのときには、タッチセンサパネル１２、および表示デバイスは、オンのままとなる（Ｓ１７）。
その後、近接センサ１４のスキャンが再び行われる（Ｓ１１）。
【００３８】
以上説明した第１実施形態では、携帯端末１０は、近接センサ１４および照度センサ１５と、対象アイコン１２ａが選択された状態で、センサ１４，１５による検出結果が顔１０２の近接条件を満たすことで非アクティブ状態（オフ状態）に遷移するタッチセンサパネル１２と、を備える。そのため、移動体の一例であるユーザの指１０１が近接センサ１４に検出されても、照度センサ１５が照度を検出することで、顔１０２が近接していないことを判定することができる。よって、本実施形態によれば、タッチセンサパネル１２の誤動作を抑えることができる。
【００３９】
タッチセンサパネル１２の誤動作を抑えることによって、更に、ユーザが快適にタッチセンサパネル１２を操作することができると共に、タッチセンサパネル１２、および表示デバイス１６を的確に非アクティブ状態（オフ状態）にすることによる低消費電力化を実現することができる。
【００４０】
タッチセンサパネル１２の誤動作を抑えることによって、更に、近接センサ１４および照度センサ１５（センサ窓１１ａ，１１ｂ）とタッチセンサパネル１２との間のクリアランスを確保しなくともよくなる。そのため、近接センサ１４および照度センサ１５（センサ窓１１ａ，１１ｂ）の実装位置自由度が高まると共に、タッチセンサパネル１２、および表示デバイス１６の大型化に寄与することができる。
【００４１】
本実施形態では、レシーバ１３は、近接センサ窓１１ａと照度センサ窓１１ｂの間に配置されている。そのため、より確実に顔１０２の近接を判定することで、タッチセンサパネル１２の誤動作をより一層抑えることができる。
【００４２】
本実施形態では、近接センサ窓１１ａおよび照度センサ窓１１ｂは、タッチセンサパネル１２のうちレシーバ１３に隣接する辺に沿って配列されている。そのため、より確実に顔１０２の近接を判定することで、タッチセンサパネル１２の誤動作をより一層抑えることができる。
【００４３】
本実施形態では、また、近接センサ１４−１，１４−２および照度センサ１５−１，１５−２は、センサ窓から入射する光Ｌをセンサ本体１４−１ａ，１４−２ａ，１５−１ａ，１５−２ａに導く導光部１４−１ｂ，１４−２ｂ，１５−１ｂ，１５−２ｂを有する。そのため、センサ本体１４−１ａ，１４−２ａ，１５−１ａ，１５−２ａに関する設計の自由度を高めることができる。
【００４４】
本実施形態では、物体の近接を検出する近接センサ１４が配置されている。そのため、指１０１などの近接が顔１０２の近接と誤検出されうるが、近接センサ１４を用いても、照度センサ１５によって確実に顔１０２の近接を判定することで、タッチセンサパネル１２の誤動作をより一層抑えることができる。
【００４５】
本実施形態において、近接センサ１４および照度センサ１５（センサ窓１１ａ，１１ｂ）の位置は、レシーバ１３を挟んで互いに反対側であることが望ましいが、例えば、通話時に顔が近づくマイク部２５を挟んで互いに反対側であるようにしてもよく、或いはその他の位置としてもよい。
【００４６】
本実施形態において、近接センサ１４および照度センサ１５以外の他のセンサを更に用いて顔１０２の近接状態を判定するようにしてもよい。なお、本実施形態では、加速度センサ２６が検出する携帯端末１０の状態（加速度）は、タッチセンサパネル１２等を非アクティブ状態に遷移させる処理を行う条件とはならないため、省略可能である。
【００４７】
＜第２実施形態＞
図７Ａおよび図７Ｂは、第２実施形態に係る携帯端末２０の使用状態を示す説明図である。
【００４８】
携帯端末１００は、タッチセンサパネル１２等を非アクティブ状態に遷移させる処理を行う条件として、照度センサ１５の出力結果に代えて加速度センサ２６の出力結果を用いる点において、上述の第１実施形態と相違する。共通点についての説明は省略する。
【００４９】
加速度センサ２６は、携帯端末１００の加速度を検出する。加速度センサ２６の位置は、携帯端末２０の構造に応じて適宜決定されればよく、本実施形態では、レシーバ１３から離れた位置に配置されている。
【００５０】
以下、近接検出の制御方法について説明する。
図８に示すように、照度センサ１５が閾値以上の環境照度を検出したとき（Ｓ２０がＹｅｓ）には、上述の第１実施形態の照度センサ１５を用いた制御（図４）を行うことができる。一方、照度センサ１５が閾値以下の環境照度を検出したとき（Ｓ２０がＮｏ）には、照度センサ１５の検出結果に基づいて顔１０２の近接を判定することが困難であるため、図９に示す加速度センサ２６を用いた制御が行われる。
【００５１】
照度センサ１５は、ある一定間隔で環境照度をポーリングして、その状況を記憶しておく。これにより、例えば、ある閾値以下の明るさが一定期間以上続くか否かで、環境の明るさを判定することができる。
【００５２】
図９に示す加速度センサ２６を用いた制御では、通話が開始すると、近接センサ１４は、ＣＰＵの制御に基づきスキャンを開始する（Ｓ２１）。このスキャンは、通話が終了すると終了する（Ｓ２２がＮｏ）。
【００５３】
通話が継続中の場合（Ｓ２２がＹｅｓ）、図７Ｂに示すようにユーザが携帯端末１００を顔１０２に近づけると、近接センサ１４が物体の近接を検出する（Ｓ２３がＹｅｓ）。この場合、タッチセンサパネル１２の辺に沿って配置された図７Ａに示すアイコン１２ａが選択された状態（すなわち、タッチセンサコントローラ１８が対象アイコン１２ａの選択を検出した検出した状態）（Ｓ２４がＹｅｓ）で、加速度センサ２６により検出された携帯端末１００の加速度が閾値以上となると（Ｓ２５がＹｅｓ）、タッチセンサパネル１２、および表示デバイス１６は、ＣＰＵ１７の制御によりオフとなる（Ｓ２６）。
【００５４】
タッチセンサパネル１２の辺に沿って配置された図７Ａに示すアイコン１２ａが選択されていない状態（Ｓ２４がＮｏ）では、加速度センサ２６（Ｓ２５）の検出レベルによらず、近接センサ１４が物体の近接を検出すると（Ｓ２３がＹｅｓ）、タッチセンサパネル１２、および表示デバイス１６がＣＰＵ１７の制御によりオフとなる（Ｓ２６）。
【００５５】
近接センサ１４が物体の近接を検出しない場合（Ｓ２３がＮｏ）と、対象アイコン１２ａが選択され（Ｓ２４がＹｅｓ）且つ加速度センサ２６の検出レベルが閾値未満である場合（Ｓ２５がＮｏ）とのうちのいずれかのときには、タッチセンサパネル１２、および表示デバイス１６は、オンのままとなる（Ｓ２７）。その後、近接センサ１４のスキャンが再び行われる（Ｓ２１）。
【００５６】
以上説明した第２実施形態によれば、上述の第１実施形態の効果、即ち、タッチセンサパネル１２の誤動作を抑えることができるなどの効果を得ることができる。
【００５７】
本実施形態では、照度センサ１５が閾値以下の環境照度を検出したときには、対象アイコン１２ａが選択された状態で（Ｓ２４がＹｅｓ）、近接センサ１４と、加速度センサ２６とにより顔の近接が検出される（Ｓ２３及びＳ２５がＹｅｓ）。そのため、環境照度が暗くとも確実に顔１０２の近接を判定することができる。
【００５８】
本実施形態において、照度センサ１５を省略し、環境照度によらずに近接センサ１４および加速度センサ２６を用いて顔の近接を判定するようにしてもよい。
【００５９】
＜第３実施形態＞
図１０は、第３実施形態に係る携帯端末の処理を表すフローチャートである。
【００６０】
本実施形態では、第２実施形態における環境照度が明るい場合（図８）に、図４に示す第１実施形態の近接センサ１４および照度センサ１５のみを用いた制御ではなく、更に加速度センサ２６を用いた制御を行う点において第２実施形態と相違する。
【００６１】
図１０に示すように、通話が開始すると、近接センサ１４は、ＣＰＵの制御に基づきスキャンを開始する（Ｓ３１）。このスキャンは、通話が終了すると終了する（Ｓ３２がＮｏ）。
【００６２】
通話が継続中の場合（Ｓ３２がＹｅｓ）、ユーザが携帯端末１００を顔１０２に近づけると、近接センサ１４が物体の近接を検出する（Ｓ３３がＹｅｓ）。この場合、タッチセンサパネル１２の辺に沿って配置された図７Ａに示すアイコン１２ａが選択された状態（すなわち、タッチセンサコントローラ１８が対象アイコン１２ａの選択を検出した検出した状態）（Ｓ３４がＹｅｓ）で、照度センサ１５の検出レベルが閾値未満となり（Ｓ３５がＮｏ）、且つ、加速度センサ２６により検出された携帯端末２０の加速度が閾値以上となると（Ｓ３６がＹｅｓ）、タッチセンサパネル１２、および表示デバイス１６は、ＣＰＵ１７の制御によりオフとなる（Ｓ３７）。
【００６３】
タッチセンサパネル１２の辺に沿って配置された図７Ａに示すアイコン１２ａが選択されていない状態（Ｓ２４がＮｏ）では、照度センサ１５（Ｓ３５）および加速度センサ２６（Ｓ３６）の検出レベルによらず、近接センサ１４が物体の近接を検出すると（Ｓ３３がＹｅｓ）、タッチセンサパネル１２、および表示デバイス１６がＣＰＵ１７の制御によりオフとなる（Ｓ３６）。
【００６４】
近接センサ１４が物体の近接を検出しない場合（Ｓ３３がＮｏ）、タッチセンサパネル１２、および表示デバイス１６は、オンのままとなる（Ｓ３６）。対象アイコン１２ａが選択されている場合には、照度センサ１５の検出レベルが閾値以上であるとき（Ｓ３５がＹｅｓ）および携帯端末２０の加速度が閾値未満であるとき（Ｓ３６がＮｏ）の少なく一方のときには、タッチセンサパネル１２、および表示デバイス１６は、オンのままとなる（Ｓ３６）。
その後、近接センサ１４のスキャンが再び行われる（Ｓ３１）。
【００６５】
以上説明した第３実施形態によれば、上述の第１実施形態及び第２実施形態の効果、即ち、タッチセンサパネル１２の誤動作を抑えることができるなどの効果を得ることができる。
【００６６】
本実施形態では、照度センサ１５が閾値以上の環境照度を検出したときには、対象アイコン１２ａが選択されていれば、近接センサ１４と、照度センサ１５と、加速度センサ２６とにより顔の近接が検出される（Ｓ３３，Ｓ３４，Ｓ３５）。そのため、より確実に顔１０２の近接を判定することができる。
【００６７】
以上説明した実施の形態に関し、更に以下の付記を開示する。
（付記１）
タッチ選択可能なアイコンが表示されるタッチセンサパネルと、
前記タッチセンサパネルの辺に沿って配置された近接センサ窓を介して移動体の接近を検出する近接センサと、
周囲環境の照度を検出する照度センサと、
前記近接センサ窓に対向して配置されると共に前記タッチセンサパネルの前記辺に沿って配置された前記アイコンが選択された状態で前記近接センサが前記移動体の接近を検出したときの前記照度センサの出力結果に応じて、少なくとも前記タッチセンサパネルを非アクティブ状態に遷移させる処理部と、
を備えることを特徴とする携帯端末。
（付記２）
レシーバを更に備え、
前記照度センサは、照度センサ窓を介して照度を検出し、
前記レシーバは、前記近接センサ窓と前記照度センサ窓との間に配置されている、
ことを特徴とする付記１記載の携帯端末。
（付記３）
前記レシーバおよび前記照度センサ窓は、前記タッチセンサパネルの前記近接センサ窓が沿って配置されているのと同一の前記辺に沿って配置されていることを特徴とする付記２記載の携帯端末。
（付記４）
前記近接センサは、センサ本体と、前記近接センサ窓から入射する光を前記センサ本体に導く導光部とを有することを特徴とする付記１記載の携帯端末。
（付記５）
前記照度センサは、センサ本体と、前記照度センサ窓から入射する光を前記センサ本体に導く導光部とを有することを特徴とする付記２記載の携帯端末。
（付記６）
表示デバイスを更に備え、
前記処理部は、少なくとも前記タッチセンサパネル及び前記表示デバイスを非アクティブ状態に遷移させる、
ことを特徴とする付記１記載の携帯端末。
（付記７）
前記携帯端末の状態を検出する加速度センサを更に備え、
前記処理部は、前記アイコンが選択された状態で前記近接センサが前記移動体の接近を検出したときの前記照度センサの出力結果および前記加速度センサの出力結果に応じて、少なくとも前記タッチセンサパネルを非アクティブ状態に遷移させる、
ことを特徴とする付記１記載の携帯端末。
（付記８）
タッチ選択可能なアイコンが表示されるタッチセンサパネルと、
前記タッチセンサパネルの辺に沿って配置された近接センサ窓を介して移動体の接近を検出する近接センサと、
携帯端末の状態を検出する加速度センサと、
前記近接センサ窓に対向して配置されると共に前記タッチセンサパネルの前記辺に沿って配置された前記アイコンが選択された状態で前記近接センサが前記移動体の接近を検出したときの前記加速度センサの出力結果に応じて、少なくとも前記タッチセンサパネルを非アクティブ状態に遷移させる処理部と、
を備えることを特徴とする携帯端末。
（付記９）
前記近接センサは、センサ本体と、前記近接センサ窓から入射する光を前記センサ本体に導く導光部とを有することを特徴とする付記８記載の携帯端末。
（付記１０）
表示デバイスを更に備え、
前記処理部は、少なくとも前記タッチセンサパネル及び前記表示デバイスを非アクティブ状態に遷移させる、
ことを特徴とする付記８記載の携帯端末。
（付記１１）
タッチ選択可能なアイコンが表示されるタッチセンサパネルの辺に沿って配置された近接センサ窓を介して移動体の接近を検出し、
周囲環境の照度を検出し、
前記近接センサ窓に対向して配置されると共に前記タッチセンサパネルの前記辺に沿って配置された前記アイコンが選択された状態で前記移動体の接近を検出したときの前記検出された照度に応じて、少なくとも前記タッチセンサパネルを非アクティブ状態に遷移させる、
ことを特徴とする近接検出制御方法。
（付記１２）
タッチ選択可能なアイコンが表示されるタッチセンサパネルの辺に沿って配置された近接センサ窓を介して移動体の接近を検出し、
携帯端末の加速度を検出し、
前記近接センサ窓に対向して配置されると共に前記タッチセンサパネルの前記辺に沿って配置された前記アイコンが選択された状態で前記移動体の接近を検出したときの前記検出された加速度に応じて、少なくとも前記タッチセンサパネルを非アクティブ状態に遷移させる、
ことを特徴とする近接検出制御方法。
【符号の説明】
【００６８】
１０      携帯端末
１１      フレーム
１１ａ      近接センサ窓
１１ｂ      照度センサ窓
１２      タッチセンサパネル
１３      レシーバ
１４      近接センサ
１４ａ      センサ本体部
１４−１ｂ  導光路
１４−２ｂ  反射部材
１５      照度センサ
１５ａ      センサ本体部
１５−１ｂ  導光路
１５−２ｂ  反射部材
１６      表示デバイス
１７      ＣＰＵ
１８      タッチセンサコントローラ
１９      メモリ
２０      ＤＲＡＭ
２１      スピーカ
２２      無線回路
２３      アンテナ
２４      電源
２５      マイク
２６      加速度センサ
２７      ＵＳＩＭカード
１００      携帯端末
１０１      指
１０２      顔
【図１】
2013125361.tif 000003
【図３】
2013125361.tif 000004
【図４】
2013125361.tif 000005
【図５】
2013125361.tif 000006
【図６Ａ】
2013125361.tif 000007
【図６Ｂ】
2013125361.tif 000008
【図７Ａ】
2013125361.tif 000009
【図８】
2013125361.tif 000010
【図９】
2013125361.tif 000011
【図１０】
2013125361.tif 000012
【図１２】
2013125361.tif 000013
【図２Ａ】
2013125361.tif 000014
【図２Ｂ】
2013125361.tif 000015
【図７Ｂ】
2013125361.tif 000016
【図１１Ａ】
2013125361.tif 000017
【図１１Ｂ】
2013125361.tif 000018